(57)【特許請求の範囲】
【請求項１】
筐体を構成する下ケース及び上ケースと、
前記下ケースに形成され、印字用紙が巻回された用紙ロールを収納する用紙収納部と、
当該用紙収納部に設けられ、前記用紙ロールを保持する用紙ホルダと、
当該用紙ホルダに設けられ、前記用紙ロールからの用紙の引き出し方向と直交する方向の前記用紙ロールの両端部を各々保持する一対の支持部材と、
前記用紙収納部において、前記下ケースから当該下ケースに対向する前記用紙ホルダの底部方向に突出する第一突起と、
前記用紙ホルダの底部に設けられ、前記印字用紙の引き出し方向と直交する前記用紙ロールの軸線方向において当該第一突起と所定距離離間して設けられた当接部とを備え、
前記用紙ロールの軸線方向において、前記当接部の厚みが、前記支持部材の厚みより厚く構成され、
前記第一突起から前記当接部に向かう方向に衝撃が加わった場合に、前記第一突起と前記当接部とが当接することを特徴とする印刷装置。
【請求項２】
前記用紙収納部の用紙の引き出し方向と直交する方向において、前記当接部に対して前記第一突起側の第一内壁面には、
所定幅で所定高さで所定長さ突出するように形成されたリブと、
前記当該リブから凸設された第二突起とが形成され、
前記第一突起から前記当接部に向かう方向に衝撃が加わった場合に、前記第一突起と前記当接部との当接が衝撃が加わった側の前記支持部材と前記第二突起の当接よりも先に生じるように、前記第一突起と前記当接部との間隔が前記支持部材と前記第二突起の間隔より狭くすることが可能に構成されていることを特徴とする請求項１に記載の印刷装置。
【請求項３】
前記上ケースには、前記用紙収納部の前記用紙ホルダへ用紙ロールを着脱するための開口部が形成され、
当該開口部の前記用紙の引き出し方向と直交する方向には、各々上部内壁面が形成され、
前記第一突起から前記当接部に向かう方向に衝撃が加わった場合に、衝撃が加わった側の前記上部内壁面と衝撃が加わった側の前記支持部材との当接が衝撃が加わった側の前記支持部材と前記第二突起の当接よりも後になるように、前記上部内壁面と前記支持部材との間隔が前記支持部材と前記第二突起との間隔より広く形成されていることを特徴とする請求項２に記載の印刷装置。
【請求項４】
前記用紙収納部において、前記第一内壁面と対向する第二内壁面には、前記開口部に設けられた蓋部を開閉する開閉部材を収納する開閉部材収納部が内側に突出するように形成され、
当該開閉部材収納部方向から衝撃が加わった場合に、当該開閉部材収納部の壁部と衝撃が加わった側の前記支持部材とが当接することを特徴とする請求項３に記載の印刷装置。
【請求項５】
前記当接部は、前記支持部材の移動をロックするロックつまみの支持部であることを特徴とする請求項１〜４の何れかに記載の印刷装置。
【請求項６】
前記用紙ホルダは、前記下ケースとの対向面に一つのピニオンギアに噛み合う一対のラックギアを平行に設け、
各ラックギアは、前記支持部材に各々固定され、
一方のラックギアには、ピニオンギアと反対方向に前記ロックつまみの支持部が延設されていることを特徴とする請求項５に記載の印刷装置。
【発明の詳細な説明】
【技術分野】
【０００１】
本発明は、印刷装置に関し、詳細には、用紙ロールを内蔵可能な印刷装置に関する。
【背景技術】
【０００２】
従来、筐体の内部の用紙収納部に、被印字媒体としての用紙ロールを収納した可搬式の印刷装置が知られている（例えば、特許文献１参照）。この印刷装置においては、用紙収納部には、開閉可能なカバーが設けられ、使用者がカバー開放することにより、内部に設けられた用紙ホルダから用紙ロールを交換可能となっている。用紙ホルダには用紙ロールの幅に応じて移動可能な左右一対の支持部材（ロールガイド）が設けられている。用紙ロールは一対の支持部材に左右端部を各々挟まれて保持される。各支持部材には用紙ロールの軸線方向と平行にラックギアが固定されており、これらのラックギアは一つのピニオンギアに噛み合っている。従って、一方の支持部材を移動させると他方の支持部材も反対方向に一方の支持部材の移動距離と同じ距離移動する。
【先行技術文献】
【特許文献】
【０００３】
【特許文献１】特開２００９−１７３３５３号公報
【発明の概要】
【発明が解決しようとする課題】
【０００４】
しかしながら、上記印刷装置では、操作者が印刷装置を持ち運んで使用する時に印刷装置が落下して地面に衝突する場合や、印刷装置を固定物にぶつける場合がある。これらの場合には、印刷装置に衝撃が加わり、用紙ロールの重みにより用紙ホルダや支持部材が破損するという問題点があった。
【０００５】
本発明の目的は、印刷装置に衝撃が加わった場合でも、用紙ホルダや支持部材の破損を防止できる印刷装置を提供することである。
【課題を解決するための手段】
【０００６】
上記目的を達成するために、本発明の印刷装置は、筐体を構成する下ケース及び上ケースと、前記下ケースに形成され、印字用紙が巻回された用紙ロールを収納する用紙収納部と、当該用紙収納部に設けられ、前記用紙ロールを保持する用紙ホルダと、当該用紙ホルダに設けられ、前記用紙ロールからの用紙の引き出し方向と直交する方向の前記用紙ロールの両端部を各々保持する一対の支持部材と、前記用紙収納部において、前記下ケースから当該下ケースに対向する前記用紙ホルダの底部方向に突出する第一突起と、前記用紙ホルダの底部に設けられ、前記印字用紙の引き出し方向と直交する前記用紙ロールの軸線方向において当該第一突起と所定距離離間して設けられた当接部とを備え、前記用紙ロールの軸線方向において、前記当接部の厚みが、前記支持部材の厚みより厚く構成され、前記第一突起から前記当接部に向かう方向に衝撃が加わった場合に、前記第一突起と前記当接部とが当接することを特徴とする。
【０００７】
この構成の印刷装置においては、印刷装置を落下させたり固定物にぶつけたりして前記第一突起から前記当接部に向かう方向に衝撃が加わった場合に、用紙ロールの慣性により、前記用紙ホルダの前記当接部が前記第一突起と当接する。この時、前記用紙ロールの軸線方向において、前記当接部の厚みが、前記支持部材の厚みより厚く構成されているので、当接部が十分な強度を有しており破損することがない。また、前記第一突起と前記当接部が接触することで衝撃が緩和され用紙ホルダや支持部材の破損が防止できる。
【０００８】
また、前記用紙収納部の用紙の引き出し方向と直交する方向において、前記当接部に対して前記第一突起側の第一内壁面には、所定幅で所定高さで所定長さ突出するように形成されたリブと、前記当該リブから凸設された第二突起とが形成され、前記第一突起から前記当接部に向かう方向に衝撃が加わった場合に、前記第一突起と前記当接部との当接が衝撃が加わった側の前記支持部材と前記第二突起の当接よりも先に生じるように、前記第一突起と前記当接部との間隔が前記支持部材と前記第二突起の間隔より狭くすることが可能に構成されていても良い。
【０００９】
この構成の印刷装置では、前記第一突起から前記当接部に向かう方向に衝撃が加わった場合に、前記第一突起と前記当接部との当接が衝撃が加わった側の前記支持部材と前記第二突起の当接よりも先に生じる。従って、前記第一突起と前記当接部とが先に接触することで衝撃が緩和され用紙ホルダや支持部材の破損が防止できる。
【００１０】
また、前記上ケースには、前記用紙収納部の前記用紙ホルダへ用紙ロールを着脱するための開口部が形成され、当該開口部の前記用紙の引き出し方向と直交する方向には、各々上部内壁面が形成され、前記第一突起から前記当接部に向かう方向に衝撃が加わった場合に、衝撃が加わった側の前記上部内壁面と衝撃が加わった側の前記支持部材との当接が衝撃が加わった側の前記支持部材と前記第二突起の当接よりも後になるように、前記上部内壁面と前記支持部材との間隔が前記支持部材と前記第二突起との間隔より広く形成されていても良い。
【００１１】
この構成の印刷装置では、前記第一突起から前記当接部に向かう方向に衝撃が加わった場合に、前記第一突起と前記当接部との当接が最初に、次いで、前記支持部材と前記第二突起の当接が生じ、最後に、前記上部内壁面と衝撃が加わった側の前記支持部材との当接が生じる。従って、順番に衝撃が緩和され、用紙ホルダや支持部材の破損が防止できる。
【００１２】
また、前記用紙収納部において、前記第一内壁面と対向する第二内壁面には、前記開口部に設けられた蓋部を開閉する開閉部材を収納する開閉部材収納部が内側に突出するように形成され、当該開閉部材収納部方向から衝撃が加わった場合に、当該開閉部材収納部の壁部と衝撃が加わった側の前記支持部材とが当接するようになっていても良い。
【００１３】
この構成の印刷装置では、開閉部材方向から衝撃が加わった場合に、開閉部材収納部の壁部と衝撃が加わった側の前記支持部材とが当接して衝撃を吸収する。
【００１４】
また、前記当接部は、前記支持部材の移動をロックするロックつまみの支持部であっても良い。この構成の印刷装置においては、前記当接部はロックつまみの支持部であるので、幅があり強度があるので、印刷装置を落下させたり固定物にぶつけたりして前記第一突起から前記ロックつまみに向かう方向に衝撃が加わった場合に、前記第一突起と前記ロックつまみの支持部とが先に接触することで衝撃が緩和され用紙ホルダや支持部材の破損が防止できる。
【００１５】
また、前記用紙ホルダは、前記下ケースとの対向面に一つのピニオンギアに噛み合う一対のラックギアを平行に設け、各ラックギアは、前記支持部材に各々固定され、一方のラックギアには、ピニオンギアと反対方向に前記ロックつまみの支持部が延設されているようにしても良い。この構成の印刷装置では、印刷装置を落下させたり固定物にぶつけたりして前記第一突起から前記ロックつまみの支持部に向かう方向に衝撃が加わった場合に、ラックギアに接続されたロックつまみの支持部が撓み衝撃が緩和され、ラックギアとピニオンギアの噛み合わせのずれを防止できる。また、用紙ホルダや支持部材の破損を防止できる。
【発明の効果】
【００１６】
本発明によれば、印刷装置に衝撃が加わった場合でも、用紙ホルダや支持部材の破損を防止できる印刷装置を提供することができる。
【図面の簡単な説明】
【００１７】
【図１】本発明の一実施の形態であるプリンタ１の外観構成を表す斜視図である。
【図２】開閉蓋１３を開放したプリンタ１の斜視図である。
【図３】用紙ロール２を取り外した状態のプリンタ１の斜視図である。
【図４】用紙収納部４において、ホルダフレーム７０を取り外し、ラックギア６３と、ピニオンギア６５と、ラックギア６４との噛み合わせを示す斜視図である。
【図５】用紙ホルダ６を底面側から見た斜視図である。
【図６】ラックギア６３と、ピニオンギア６５と、ラックギア６４との噛み合わせを示す平面図である。
【図７】用紙ホルダ６を取り外した状態のプリンタ１の斜視図である。
【図８】用紙ホルダ６の左側面図である。
【図９】下ケース２０の平面図である。
【発明を実施するための形態】
【００１８】
以下、本発明の印刷装置の一実施の形態である可搬型のプリンタ１の構造について図面を参照して説明する。以下では、図１中の右斜め下方向を右方、左斜め上方向を左方、右斜め上方向を後方、左斜め下方向を前方、紙面の表面方向を上方、紙面の裏面方向を下方と定義して説明する。
【００１９】
プリンタ１は、例えばＰＣ端末や携帯電話等の外部機器（図示せず）より受信した印刷データを、用紙ロール２に巻回された感熱式の印字用紙を引き出して印刷する印刷装置である。図１及び図２に示すように、プリンタ１は、上ケース１０と下ケース２０とを嵌合させた略箱形形状の筐体を備えている。上ケース１０及び下ケース２０は例えば樹脂材料で構成される。プリンタ１は、内部に電池を内蔵し、電池により駆動可能である。下ケース２０は平面視、略四角形に形成され、下ケース２０の前端部の両角には、左右一対の挿通部１６，１６が各々設けられている。これら挿通部１６，１６にストラップなどを挿通し、肩や首、さらには腰ベルトなどに架けることができる。また、操作者は、電池駆動であるプリンタ１を様々な場所に持ち運び使用することができる。下ケース２０の右側面には、後述する開閉蓋１３のロックを解除するための回転式のつまみである開閉部材５が設けられている。また、図２に示すように、下ケース２０の左側面には、磁気カードを読み込むカードリーダ３が設けられている。
【００２０】
次に、上ケース１０の構造を説明する。図１に示すように、上ケース１０は平面視、略四角形に形成され、上ケース１０の中央部には、印字後の用紙を排出するスリットである排出口１７が設けられている。上ケース１０の上部の外周には、ゴム等の衝撃吸収部材から構成されたプロテクタ１１が設けられている。また、上ケース１０の排出口１７から後ろ側には、開閉可能な開閉蓋１３が設けられている。開閉蓋１３の先端部には、円柱形状のプラテンローラ１４が設けられ、開閉蓋１３の後端部は、下ケース２０に回動可能に軸支されている。また、プラテンローラ１４に対向する上ケース１０の中央部には、固定歯１５が排出口１７の長手方向に沿って設けられている。図３に示すように、固定歯１５の斜め下側には、プラテンローラ１４と平行に印字用紙に熱を加えて印字するサーマルヘッド７が設けられている。また、上ケース１０の固定歯１５より前半側の内部には、プリンタ１を制御する図示外の電子回路基板、電池等が内蔵されている。
【００２１】
図３に示すように、上ケース１０の開閉蓋１３の下側には、用紙収納部４が形成されている。用紙収納部４には、用紙ホルダ６が固定され、用紙ホルダ６には、用紙ロール２（図２参照）が支持部材６１，６２により両端部を回転可能に保持されている。また、用紙ロール２は、支持部材６１，６２から着脱可能である。用紙収納部４の左上端部には、平面からなる左上部内壁面４１が形成され、右上端部には、平面からなる右上部内壁面４２が形成されている。
【００２２】
次に、図４〜図６を参照して、用紙ホルダ６の構造を説明する。図５に示すように、用紙ホルダ６は、ホルダフレーム７０を下部に備えている。ホルダフレーム７０は、略矩形の中フレーム７１と、中フレーム７１から斜め後方へ延設された略矩形の後フレーム７２と、中フレーム７１から斜め前方へ延設された略矩形の前フレーム７３とから構成されている。前フレーム７３には、螺子孔９１，９２，９３，９４が形成され、これらの螺子孔に図示外の螺子が螺子込まれてホルダフレーム７０は、下ケース２０に固定される。
【００２３】
中フレーム７１には、長方形の開口部８１，８３が一列に形成され、開口部８１には、スライダ８２が開口部８１の長手方向に移動可能に嵌り込んでいる。このスライダ８２には、ラックギア６３が開口部８１の長手方向と平行に延設されている。また、開口部８３内には、スライダ８４が開口部８３の長手方向に移動可能に嵌り込んでいる。また、スライダ８４には、ラックギア６４が開口部８３の長手方向と平行に延設されている。また、後フレーム７２の左側部分（図５では、下から見ているので右側部分）には、略長方形の開口部７４が形成され、開口部７４内を固定つまみ６６を支持するつまみ支持部６７が移動可能になっている。
【００２４】
図５及び図６に示すように、中フレーム７１の中央部には、ラックギア６３及びラックギア６４と噛合するピニオンギア６５が螺子６８により回動自在に固定されている。また、図６に示すように、スライダ８２には、支持軸部１６１が直交方向に立設され、支持軸部１６１には、用紙ロール２の左端部を保持する略円盤状の支持部材６１が回転自在に支持されている。また、スライダ８４には、支持軸部１６２が直交方向に立設され、支持軸部１６２には、用紙ロール２の右端部を保持する略円盤状の支持部材６２が回転自在に支持されている。支持部材６１の中央には、用紙ロール２の左端部の中央の孔に嵌合する円錐台形状の突起１６３が設けられ、支持部材６２の中央には、用紙ロール２の右端部の中央の孔に嵌合する円錐台形状の突起１６４が設けられている。用紙ロール２は、支持部材６１、支持部材６２、突起１６３及び突起１６４により回動自在に保持される。
【００２５】
また、図５及び図６に示すように、ラックギア６３及びスライダ８２には、固定つまみ６６を退出可能に支持するつまみ支持部６７が接続されている。つまみ支持部６７は、平面視略矩形で、ラックギア６３の長手方向と直交する方向に延出されており、左右の端部に壁部６７Ａ，６７Ｂが設けられている。つまみ支持部６７の壁部６７Ａと壁部６７Ｂの間には、固定つまみ６６がラックギア６３の長手方向と直交する方向に退出可能に支持されている。図５に示すように、固定つまみ６６の裏面にはスプリング６９が内蔵されており、固定つまみ６６がラックギア６３方向に付勢されている。
【００２６】
固定つまみ６６のラックギア６３側の端部には、櫛歯７６が一列に形成されている。また、開口部７４のラックギア６３側の端部には、固定つまみ６６の櫛歯７６と噛み合う櫛歯７５が一列に形成されている。従って、固定つまみ６６の櫛歯７６が開口部７４の櫛歯７５と噛み合っている時には、ラックギア６３が固定されて移動しない。従って、ラックギア６３とピニオンギア６５を介して噛合するラックギア６４も移動しない。従って、支持部材６１，６２もホルダフレーム７０に対して移動せず固定されている。
【００２７】
ここで、用紙ロール２は、印字用紙の幅に応じて各種の幅（円筒の端部から端部までの長さ）のものがある。従って、使用する用紙ロール２の幅に応じて支持部材６１と支持部材６２との間隔を広げたり縮めたりする必要がある。一番広い印字幅の用紙ロール２を使用する時には、図５に示すように、固定つまみ６６を支持するつまみ支持部６７がホルダフレーム７０の一番端に位置している。この状態から印字幅の狭い用紙ロール２を使用する時には、固定つまみ６６を固定つまみ上の矢印方向（ラックギア６３から離間する方向）に移動すると、固定つまみ６６の櫛歯７６と開口部７４の櫛歯７５との噛み合いが外れて、固定つまみ６６（つまみ支持部６７）を図６に於ける右方向に移動可能になる。固定つまみ６６を図６に於ける右方向に移動すると、ラックギア６３が右に移動し、ピニオンギア６５を介して噛合するラックギア６４が左に移動し、支持部材６１と支持部材６２との間隔が狭くなる。使用する用紙ロール２の幅に合う位置で固定つまみ６６を離すと、スプリング６９の付勢力により固定つまみ６６の櫛歯７６と開口部７４の櫛歯７５とが噛み合いラックギア６３及びラックギア６４が固定され、支持部材６１及び支持部材６２が固定される。従って、支持部材６１及び突起１６３と、支持部材６２及び突起１６４とにより用紙ロール２が保持される。
【００２８】
次に、図７及び図９を参照して、用紙収納部４が形成される下ケース２０内部の構造について説明する。用紙収納部４から用紙ホルダ６を取り去ると、下ケース２０の底面４０が表れる。下ケース２０の底面４０には、用紙ホルダ６の後フレーム７２（図５参照）が対向するように用紙ホルダ６が固定される。従って、後フレーム７２が用紙ホルダ６の底部となる。また、底面４０のカードリーダ３側（図７及び図９に於ける左側）には、板状の第一突起４３が所定高さで突出している。第一突起４３の延設面は、用紙ロール２の軸線方向と直交する方向に延設され、その高さは、つまみ支持部６７に当たる高さである。また、下ケース２０の用紙収納部４の左側の端部には、第一内壁面４６が設けられ、用紙収納部４の右側の第二内壁面４７（図９参照）には、開閉部材５を収納する開閉部材収納部５１が内側に凸出して設けられている。第一内壁面４６には、所定幅、所定長さ、所定高さ突出したリブ４４が設けられ、当該リブ４４には、板状の第二突起４５が用紙ロール２の軸線方向と平行に所定高さで突出している。
【００２９】
次に、図４、図７及び図８を参照して、第一突起４３、第二突起４５、左上部内壁面４１、用紙ホルダ６のつまみ支持部６７の壁部６７Ａ、支持部材６１の第一部分６１Ａ、及び第二部分６１Ｂの関係を説明する。図４に示すように、用紙ホルダ６のつまみ支持部６７（固定つまみ６６）は、最大幅の用紙ロール２を使用する場合には、カードリーダ３側（図４に於ける一番左側）に移動している。この状態で、第一突起４３（図７参照）と用紙ホルダ６のつまみ支持部６７の壁部６７Ａ（図８参照）とが所定間隔開けて対向し、支持部材６１の第一部分６１Ａ（図８参照）と第二突起４５（図７参照）とが所定間隔開けて対向し、支持部材６１の第二部分６１Ｂ（図８参照）と左上部内壁面４１（図７参照）とが所定間隔開けて対向する。ここで、第一突起４３と用紙ホルダ６のつまみ支持部６７の壁部６７Ａとの間隔を間隔Ｌ１、支持部材６１の第一部分６１Ａと第二突起４５との間隔を間隔Ｌ２、支持部材６１の第二部分６１Ｂと左上部内壁面４１との間隔を間隔Ｌ３とすると、「間隔Ｌ１＜間隔Ｌ２＜間隔Ｌ３」の関係になるように、第一突起４３、第二突起４５、左上部内壁面４１、用紙ホルダ６のつまみ支持部６７の壁部６７Ａと、支持部材６１が配置されている。
【００３０】
次に、上記構成を有するプリンタ１の概略動作について説明する。印刷時には、ＰＣ端末や携帯電話等の外部機器より、プリンタ１に対し、無線通信（又は有線通信や赤外線通信でも良い）を介して、印字データが送信される。また、図示外のモータの駆動力に基づくプラテンローラ１４の回転によって用紙ホルダ６に保持された用紙ロール２から印字用紙が繰り出される。繰り出された印字用紙は、プラテンローラ１４とサーマルヘッド７との圧接部に案内される。そして、印字用紙に対し、サーマルヘッド７が上記印字データに基づいた所望の態様の印字を行う。印字後の印字用紙は、排出口１７から筐体外部へと排出される。このとき、操作者は、印字が完了し排出口１７から印字用紙の端部を、固定歯１５を用いて手動で切断する。
【００３１】
上記構成のプリンタ１を操作者が持ち運んでいるときに、操作者はプリンタ１を落下したり、固定物にぶつけたりする場合がある。ここで、プリンタ１のカードリーダ３側を下にして、地面等に落下させた場合や、プリンタ１のカードリーダ３側を固定物にぶつけた場合には、用紙ロール２は重いので、第一突起４３からつまみ支持部６７に向かう方向に衝撃が加わり、用紙ロール２から支持部材６１に向けて慣性力が働くことになる。このとき、用紙ホルダ６に最大幅の用紙ロール２を装着している場合には、第一突起４３と用紙ホルダ６のつまみ支持部６７の壁部６７Ａとの間隔を間隔Ｌ１、支持部材６１の第一部分６１Ａと第二突起４５との間隔を間隔Ｌ２、支持部材６１の第二部分６１Ｂと左上部内壁面４１との間隔を間隔Ｌ３とすると、「間隔Ｌ１＜間隔Ｌ２＜間隔Ｌ３」の関係がある。
【００３２】
従って、図８に示すＹ−Ｙ線上で、まず、用紙ホルダ６のつまみ支持部６７の壁部６７Ａが下ケース２０の第一突起４３に当接する。次いで、支持部材６１の第一部分６１Ａと第二突起４５が当接し、最後に、支持部材６１の第二部分６１Ｂと左上部内壁面４１とが当接する。従って、最初に、幅があり強度もあるつまみ支持部６７の弾性で衝撃が一部吸収される。次いで、支持部材６１の弾性により支持部材６１に捻れが生じて第二部分６１Ｂが左上部内壁面４１側に近づくが、支持部材６１の第一部分６１Ａに第二突起４５が先に当接して支持部材６１を支え、最後に、第二部分６１Ｂが左上部内壁面４１に当接する。従って、つまみ支持部６７→第一部分６１Ａ→第二部分６１Ｂの順番で支持部材６１が支えられることで、支持部材６１に大きな衝撃が加わることを防止して、ラックギア６３，６４とピニオンギア６５との噛み合わせにずれが生じて位相がずれることを防止できる。また、支持部材６１が破損したり、Ｘ−Ｘ線上において支持軸部１６１が破損することを防止できる。
【００３３】
尚、プリンタ１の開閉部材５側を下にして、地面等に落下させた場合や、プリンタ１の開閉部材５側を固定物にぶつけた場合には、図９に示す第二内壁面４７から凸出した開閉部材収納部５１に支持部材６２が当接して支えられる。尚、上記実施の形態では、つまみ支持部６７の壁部６７Ａは「当接部」の一例である。
【００３４】
また、本発明は、各種の変形が可能である。例えば、用紙ホルダ６の後フレーム７２の底面に突起部を設けて、下ケース２０の第一突起４３に当接するのは、つまみ支持部６７の壁部６７Ａでなく、当該突起部が当接するようにしても良い。また、第一突起４３及び第二突起４５は、板状に限られず、突起であれば、ボス形状、角柱等の各種の形状を採用できる。
【符号の説明】
【００３５】
１  プリンタ
２  用紙ロール
４  用紙収納部
５  開閉部材
６  用紙ホルダ
１０  上ケース
１３  開閉蓋
１４  プラテンローラ
２０  下ケース
４０  底面
４１  左上部内壁面
４２  右上部内壁面
４３  第一突起
４４  リブ
４５  第二突起
４６  第一内壁面
４７  第二内壁面
５１  開閉部材収納部
６１  支持部材
６１Ａ  第一部分
６１Ｂ  第二部分
６２  支持部材
６３  ラックギア
６４  ラックギア
６５  ピニオンギア
６６  固定つまみ
６７  つまみ支持部
６７Ａ，６７Ｂ  壁部
６８  螺子
【図１】
0005803579.tif 000002
【図２】
0005803579.tif 000003
【図３】
0005803579.tif 000004
【図４】
0005803579.tif 000005
【図５】
0005803579.tif 000006
【図６】
0005803579.tif 000007
【図７】
0005803579.tif 000008
【図８】
0005803579.tif 000009
【図９】
0005803579.tif 000010